(57)【特許請求の範囲】
【請求項１】
入出力変換特性に従って、入力画像データを特性向上インクが付与されない場合の中間出力画像データに変換するとともに、当該中間出力画像データを前記特性向上インクが付与される場合の出力画像データに変換する変換手段と、
前記中間出力画像データに応じて前記特性向上インクを付与せずに記録媒体上にテストチャート画像を形成するとともに、前記出力画像データに応じて前記特性向上インクを付与しつつ記録媒体上に画像を形成する画像形成手段と、
前記テストチャート画像から色又は濃度を測定する測定手段と、
前記特性向上インクを付与しない場合のテストチャート画像の色又は濃度データと前記特性向上インクを付与した場合のテストチャート画像の色又は濃度データとを対応付けた対応データを保持する対応データ保持手段と、
前記対応データに基づき前記測定手段により測定した色又は濃度から前記特性向上インクを付与した場合のテストチャート画像の色又は濃度を推定する推定手段と、
目標となる画像の色又は濃度データを保持する目標データ保持手段と、
前記推定手段により推定された色又は濃度と前記目標データ保持手段が保持する色又は濃度データとに基づき、特性向上インクを付与した場合に目標となる画像が形成されるように前記変換手段を校正する校正手段と、
を備えることを特徴とする画像処理装置。
【請求項２】
前記特性向上インクは光沢性を向上させる無色インクであり、この無色インクを付与して画像形成する光沢性向上モードのときは、前記無色インク量が有色インク量に対して反比例するように前記無色インクを付与する特性向上インク付与手段を備えることを特徴とする請求項１記載の画像処理装置。
【請求項３】
前記特性向上インクは画像保存性を向上させる無色インクであり、この無色インクを付与して画像形成する画像保存性向上モードのときは、インク総量が所定の許容値となるまで一定量の前記無色インクを付与する特性向上インク付与手段を備えることを特徴とする請求項１記載の画像処理装置。
【請求項４】
前記対応データ保持手段は前記光沢性向上モード又は前記画像保存性向上モードそれぞれの場合における色又は濃度データを保持しており、前記推定手段は前記光沢性向上モード又は前記画像保存性向上モードに応じて色又は濃度を推定することを特徴とする請求項２又は請求項３記載の画像処理装置。
【請求項５】
入出力変換特性に従って、入力画像データを特性向上インクが付与されない場合の中間出力画像データに変換する第一変換工程と、
前記中間出力画像データに応じて前記特性向上インクを付与せずに記録媒体上にテストチャート画像を形成するテストチャート形成工程と、
前記テストチャート画像から色又は濃度を測定する測定工程と、
前記特性向上インクを付与しない場合のテストチャート画像の色又は濃度データと前記特性向上インクを付与した場合のテストチャート画像の色又は濃度データとを対応付けた対応データを保持する対応データ保持工程と、
前記対応データに基づき前記測定工程で測定された色又は濃度から前記特性向上インクを付与した場合のテストチャート画像の色又は濃度を推定する推定工程と、
目標となる画像の色又は濃度データを保持する目標データ保持工程と、
前記推定工程で推定された色又は濃度と、前記目標となる画像の色又は濃度データとに基づき、特性向上インクを付与した場合に目標となる画像が形成されるように、前記入力画像データを前記特性向上インクが付与される場合の出力画像データに変換する変換手段を校正する校正工程と、
前記校正工程で校正された前記変換手段により、前記入力画像データを前記出力画像データに変換する第二変換工程と、
前記第二変換工程で変換された前記出力画像データに応じて、前記特性向上インクを付与しつつ記録媒体上に画像を形成する画像形成工程と、
を有することを特徴とする画像処理方法。
【請求項６】
前記特性向上インクは光沢性を向上させる無色インクであり、
前記画像形成工程では、この無色インクを付与して画像形成する光沢性向上モードのときは、前記無色インク量が有色インク量に対して反比例するように前記無色インクを付与することを特徴とする請求項５記載の画像処理方法。
【請求項７】
前記特性向上インクは画像保存性を向上させる無色インクであり、
前記画像形成工程では、この無色インクを付与して画像形成する画像保存性向上モードのときは、インク総量が所定の許容値となるまで一定量の前記無色インクを付与することを特徴とする請求項５記載の画像処理方法。
【請求項８】
前記対応データ保持工程において前記光沢性向上モード又は前記画像保存性向上モードそれぞれの場合における色又は濃度データを保持し、前記推定工程では前記光沢性向上モード又は前記画像保存性向上モードに応じて色又は濃度を推定することを特徴とする請求項６又は請求項７記載の画像処理方法。
【発明の詳細な説明】
【技術分野】
【０００１】
本発明は画像処理装置及び画像処理方法に関し、特に色変換処理を行う画像処理装置及び画像処理方法に関する。
【背景技術】
【０００２】
従来から、デジタルカメラやスキャナから入力されたＲＧＢ系の画素データを複写機やカラープリンタに出力する際に、色再現性の良い画像を出力すべく、ＲＧＢ系の画素データをＣＭＹＫ系の画素データに適切に色補正して色変換処理を行う画像処理装置が知られている。
【０００３】
例えば、特許文献１には、記録液としての機能をもたない無色の特性向上インクを付与する設定のときと無色の特性向上インクを付与しない設定のとき共に同一の色変換テーブルを参照し、入力画像データをインクの付与総量に対応した階調データからなる画像データに色変換して印刷を行う印刷制御装置が記載されている。
【０００４】
また、特許文献２には、階調テストパターンが定着されてから所定時間の経過後に階調テストパターンを読み取ることにより、安定した画像濃度で補正量を制御する画像処理装置が記載されている。
【０００５】
また、特許文献３には、キャリブレーションシートが印刷されると、印刷後からの待機時間が表示され、利用者に周囲の雰囲気（湿度など）からインクが乾燥する適切な時間を把握して、その時間の経過を待機させるキャリブレーション実行プログラムが記載されている。
【特許文献１】特開２００５−０８５２１３号公報
【特許文献２】特開平８−１２５７９２号公報
【特許文献３】特開２００１−１７１１５５号公報
【発明の開示】
【発明が解決しようとする課題】
【０００６】
しかし、特許文献１に記載の発明では、特性向上インクを付与するときと特性向上インクを付与しないときで同じ色変換テーブルを参照するが、特性向上インクの付与の有無によってドットの滲み方、階調性や色が変化する場合があり、この場合は色変換に誤差が生じるという問題があった。すなわち、有色インクへの特性向上インクの影響の仕方や度合い、要求される色の精度などによって、色変換の際に特性向上インクの付与の有無を無視することができない場合があった。
【０００７】
また、特性向上インクの付与の有無のみならず、有色インク及び特性向上インクの付与量によって有色インクが乾燥して色が安定するまでの時間が変化するため、有色インク及び特性向上インクの付与量も色に影響を与えるが、特許文献１に記載の発明ではこの点が考慮されていなかった。
【０００８】
また、特許文献２又は特許文献３に記載の発明などでは、テストパターンを印刷した後に所定時間の経過を待つ必要があり、一度の色校正処理に時間を要する。
【０００９】
特性向上インクを付与して画像形成を行う場合は、インクの乾燥により時間を要することから、特性向上インクを付与してテストパターンを印刷した後に一層の所定時間の経過を待つ必要があり、色校正処理に時間を要するという問題があった。
【００１０】
本発明は上記課題に鑑みてなされたものであり、特性向上インクの付与の有無及び付与量に応じて誤差の少ない色変換処理を行うための色校正処理を迅速に行うことを可能とする画像処理装置及び画像処理方法を提供することを目的とする。
【課題を解決するための手段】
【００１１】
上記課題を解決するために請求項１に記載の発明は、画像処理装置であって、入出力変換特性に従って、入力画像データを特性向上インクが付与されない場合の中間出力画像データに変換するとともに、当該中間出力画像データを前記特性向上インクが付与される場合の出力画像データに変換する変換手段と、前記中間出力画像データに応じて前記特性向上インクを付与せずに記録媒体上にテストチャート画像を形成するとともに、前記出力画像データに応じて前記特性向上インクを付与しつつ記録媒体上に画像を形成する画像形成手段と、前記テストチャート画像から色又は濃度を測定する測定手段と、前記特性向上インクを付与しない場合のテストチャート画像の色又は濃度データと前記特性向上インクを付与した場合のテストチャート画像の色又は濃度データとを対応付けた対応データを保持する対応データ保持手段と、前記対応データに基づき前記測定手段により測定した色又は濃度から前記特性向上インクを付与した場合のテストチャート画像の色又は濃度を推定する推定手段と、目標となる画像の色又は濃度データを保持する目標データ保持手段と、前記推定手段により推定された色又は濃度と前記目標データ保持手段が保持する色又は濃度データとに基づき、特性向上インクを付与した場合に目標となる画像が形成されるように前記変換手段を校正する校正手段と、を備えることを特徴とする。
【００１２】
請求項１記載の発明によれば、特性向上インクを付与せずにテストチャート画像を形成し、そのテストチャート画像の色又は濃度から特性向上インクを付与した場合の色又は濃度を推定して変換手段を校正することから、特性向上インクの付与の有無によるテストチャートの色又は濃度への影響を考慮して変換手段を校正することが可能となる。
また、特性向上インクを付与せずにテストチャート画像を形成して色又は濃度を測定することから、インクの乾燥時間を短縮して色の安定性を高め、変換手段の校正を迅速に行うことが可能となる。
【００１３】
請求項２記載の発明は、請求項１記載の画像処理装置であって、前記特性向上インクは光沢性を向上させる無色インクであり、この無色インクを付与して画像形成する光沢性向上モードのときは、前記無色インク量が有色インク量に対して反比例するように前記無色インクを付与する特性向上インク付与手段を備えることを特徴とする。
【００１４】
請求項２記載の発明によれば、光沢性を向上させる無色インクを付与して記録媒体上に形成される画像の光沢性を向上させることが可能となる。
【００１５】
請求項３記載の発明は、請求項１記載の画像処理装置であって、前記特性向上インクは画像保存性を向上させる無色インクであり、この無色インクを付与して画像形成する画像保存性向上モードのときは、インク総量が所定の許容値となるまで一定量の前記無色インクを付与する特性向上インク付与手段を備えることを特徴とする。
【００１６】
請求項３記載の発明によれば、画像保存性を向上させる無色インクを付与して記録媒体上に形成される画像の画像保存性を向上させることが可能となる。
【００１７】
請求項４記載の発明は、請求項２又は請求項３記載の画像処理装置であって、前記対応データ保持手段は前記光沢性向上モード又は前記画像保存性向上モードそれぞれの場合における色又は濃度データを保持しており、前記推定手段は前記光沢性向上モード又は前記画像保存性向上モードに応じて色又は濃度を推定することを特徴とする。
【００１８】
請求項４記載の発明によれば、特性向上インクの付与量は色に影響を与えるが、特性向上インクの付与量が代わる光沢性向上モード又は画像保存性向上モードごとにテストチャートの色又は濃度を推定することによって、特性向上インクの付与量の変化によるテストチャートの色又は濃度への影響を考慮して変換手段を校正することが可能となる。
【００１９】
請求項５記載の発明は、画像処理方法であって、入出力変換特性に従って、入力画像データを特性向上インクが付与されない場合の中間出力画像データに変換する第一変換工程と、前記中間出力画像データに応じて前記特性向上インクを付与せずに記録媒体上にテストチャート画像を形成するテストチャート形成工程と、前記テストチャート画像から色又は濃度を測定する測定工程と、前記特性向上インクを付与しない場合のテストチャート画像の色又は濃度データと前記特性向上インクを付与した場合のテストチャート画像の色又は濃度データとを対応付けた対応データを保持する対応データ保持工程と、前記対応データに基づき前記測定工程で測定された色又は濃度から前記特性向上インクを付与した場合のテストチャート画像の色又は濃度を推定する推定工程と、目標となる画像の色又は濃度データを保持する目標データ保持工程と、前記推定工程で推定された色又は濃度と、前記目標となる画像の色又は濃度データとに基づき、特性向上インクを付与した場合に目標となる画像が形成されるように、前記入力画像データを前記特性向上インクが付与される場合の出力画像データに変換する変換手段を校正する校正工程と、前記校正工程で校正された前記変換手段により、前記入力画像データを前記出力画像データに変換する第二変換工程と、前記第二変換工程で変換された前記出力画像データに応じて、前記特性向上インクを付与しつつ記録媒体上に画像を形成する画像形成工程と、を有することを特徴とする。
【００２０】
請求項５記載の発明によれば、特性向上インクを付与せずにテストチャート画像を形成し、そのテストチャート画像の色又は濃度から特性向上インクを付与した場合の色又は濃度を推定して変換手段を校正することから、特性向上インクの付与の有無によるテストチャートの色又は濃度への影響を考慮して変換手段を校正することが可能となる。
また、特性向上インクを付与せずにテストチャート画像を形成して色又は濃度を測定することから、インクの乾燥時間を短縮して色の安定性を高め、変換手段の校正を迅速に行うことが可能となる。
【００２１】
請求項６記載の発明は、請求項５記載の画像処理方法であって、前記特性向上インクは光沢性を向上させる無色インクであり、前記画像形成工程では、この無色インクを付与して画像形成する光沢性向上モードのときは、前記無色インク量が有色インク量に対して反比例するように前記無色インクを付与することを特徴とする。
【００２２】
請求項６記載の発明によれば、光沢性を向上させる無色インクを付与して記録媒体上に形成される画像の光沢性を向上させることが可能となる。
【００２３】
請求項７記載の発明は、請求項５記載の画像処理方法であって、前記特性向上インクは画像保存性を向上させる無色インクであり、前記画像形成工程では、この無色インクを付与して画像形成する画像保存性向上モードのときは、インク総量が所定の許容値となるまで一定量の前記無色インクを付与することを特徴とする。
【００２４】
請求項７記載の発明によれば、画像保存性を向上させる無色インクを付与して記録媒体上に形成される画像の画像保存性を向上させることが可能となる。
【００２５】
請求項８記載の発明は、請求項６又は請求項７記載の画像処理方法であって、前記対応データ保持工程において前記光沢性向上モード又は前記画像保存性向上モードそれぞれの場合における色又は濃度データを保持し、前記推定工程では前記光沢性向上モード又は前記画像保存性向上モードに応じて色又は濃度を推定することを特徴とする。
【００２６】
請求項８記載の発明によれば、特性向上インクの付与量は色に影響を与えるが、特性向上インクの付与量が代わる光沢性向上モード又は画像保存性向上モードごとにテストチャートの色又は濃度を推定することによって、特性向上インクの付与量の変化によるテストチャートの色又は濃度への影響を考慮して変換手段を校正することが可能となる。
【発明の効果】
【００２７】
請求項１又は請求項５に記載の発明によれば、特性向上インクの付与の有無に応じて誤差の少ない色変換処理を行うための色校正処理を迅速に行うことが可能となる。
【００２８】
請求項２又は請求項６記載の発明によれば、記録媒体上に形成される画像の光沢性を向上させることが可能となる。
【００２９】
請求項３又は請求項７記載の発明によれば、記録媒体上に形成される画像の画像保存性を向上させることが可能となる。
【００３０】
請求項４又は請求項８記載の発明によれば、特性向上インクの付与量の変化によるテストチャートの色又は濃度への影響を考慮して変換手段を校正することが可能となる。
【発明を実施するための最良の形態】
【００３１】
以下、図面を参照しつつ、本発明の実施形態について詳細に説明する。ただし、発明の範囲は図示例に限定されない。
【００３２】
図１は、本実施形態に係る画像処理装置１の全体構成を示すブロック図である。
【００３３】
図１に示すように、画像処理装置１は、変換手段２、画像形成手段５、特性向上インク付与手段６、測定手段７、対応データ保持手段８、推定手段９、目標データ保持手段１０及び校正手段１１を備えて構成されている。
【００３４】
変換手段２は、入出力変換特性に従って入力画像データを出力画像データに変換するようになっている。図２に示すように、変換手段２は、変換部３及び変換部４を備えて構成されている。
【００３５】
変換部３は、デジタルカメラやスキャナなどの図示しない入力手段より入力されたＲＧＢデータを、画像形成手段５で付与される有色インクに対応したＣＭＹＫ中間データに色変換するようになっている。ここでＣＭＹＫ中間データとは、特性向上インクを付与せずに画像形成する場合の出力画像データを意味している。
【００３６】
具体的には、変換手段２はＲＧＢデータをＣＭＹＫ中間データに色変換するための色変換テーブル（ＬＵＴＡ）を有しており、この色変換テーブルに基づいて色変換処理を行うようになっている。なお、色変換処理は関数による演算によって行ってもよい。
【００３７】
また、変換部４は、色変換処理により得られたＣＭＹＫ中間データを、特性向上インクを付与して画像形成する場合のＣＭＹＫデータに変換するようになっている。
【００３８】
具体的には、変換手段２はＣＭＹＫ中間データをＣＭＹＫデータに変換するための変換テーブル（ＬＵＴＢ）を有しており、この変換テーブルに基づいて変換処理を行うようになっている。なお、変換処理は関数による演算によって行ってもよい。
【００３９】
なお、変換手段２は、ＲＧＢデータからＣＭＹＫ中間データへの色変換処理又はＣＭＹＫ中間データからＣＭＹＫデータへの変換処理の際に階調変換を行う構成としてもよい。
【００４０】
画像形成手段５は、変換手段２から入力されたＣＭＹＫ中間データ又はＣＭＹＫデータに基づき、インクジェット方式により画像を形成するようになっている。具体的には、画像形成手段５は記録用紙収納部、搬送部、インクカートリッジ、インクジェットプリントヘッドなどを備え、インクジェットプリントヘッドからインクを吐出して記録用紙に画像を形成するようになっている。
【００４１】
なお、インクジェットプリントヘッドはオンデマンド方式又はコンティニュアス方式のいずれでもよく、吐出方式は電気−機械変換方式、電気−熱変換方式、静電吸引方式又は放電方式などのいずれでもよい。
【００４２】
本実施形態の画像形成手段５は、変換手段２からＣＭＹＫ中間データが入力されると、そのＣＭＹＫ中間データに基づき、テストチャート画像を形成するようになっている。また、通常の画像形成の際は、変換手段２から入力されたＣＭＹＫデータに基づき、特性向上インクを付与して画像形成処理を行うようになっている。
【００４３】
特性向上インク付与手段６は、画像形成手段５のインクジェットプリントヘッドとは別に設けられた液体付与手段であって、少なくとも樹脂微粒子を含有する実質的に無色の特性向上インクを、ＣＭＹＫデータに応じて付与するようになっている。
【００４４】
例えば、特性向上インクとして光沢性を向上させる無色インクを付与する光沢性向上モードのときは、図３に示すように、無色インクが付与される。図３において、直線（ａ）は有色インク量、直線（ｂ）は無色インク量、直線（ｃ）は合計インク量を示している。光沢性向上の目的では、無色インク量を含めた合計インク量がある程度以上となっていればよい。このように、無色インク量は有色インク量に反比例するように付与されるようになっている。
【００４５】
一方、特性向上インクとして画像保存性を向上させる無色インクを付与する画像保存性向上モードのときは、図４に示すように、無色インクが付与される。図４において、直線（ｄ）は有色インク量、直線（ｅ）は無色インク量、直線（ｆ）はインク総量、直線（ｇ）はインク総量所定値を示している。このインク総量所定値（ｇ）はインク総量許容値以下となっている。保存性を向上させる目的では、ある所定のインク総量以下では所定量の無色インクを付与することが好ましい。このように、インク総量（ｆ）がインク総量所定値（ｇ）に達するまで、有色インク量（ｄ）に関わらず所定量の無色インク量（ｅ）が付与されるようになっている。
【００４６】
ここで、特性向上インクとは、記録液としての機能を実質的にもたないインクであり、必要に応じて、インクの出射安定性、プリントヘッドやインクカートリッジ適合性、光沢性、保存安定性、画像保存性、その他の諸性能向上の目的に応じて公知の各種添加剤が付与されたインクをいう。
【００４７】
なお、本実施形態では特性向上インクは無色インクとして着色剤を含まないが、これは記録液としての機能を実質的にもたないためにすぎず、それ以外の目的、例えば、インク残量確認、白地にプリントする場合の白地色調調整又は吐出性確認などのためにわずかに色味付けをしてもよい。
【００４８】
また、特性向上インク付与手段６は、画像形成手段５がＣＭＹＫ中間データに基づいてテストチャート画像の形成を行う際は特性向上インクを付与しないようになっている。
【００４９】
測定手段７は、ＣＣＤカメラ、分光光度計などの図示しない測色計及び光学透過濃度計などの図示しない濃度計を備えて構成されている。測定手段７は測色計によりカラーのテストチャート画像の色を測定し又は濃度計によりモノクロのテストチャート画像の濃度を測定して、測定結果としての色データ（Ｌ＊ａ＊ｂ＊）又は濃度データ（Ｄ）を推定手段９に出力するようになっている。
【００５０】
対応データ保持手段８は、半導体などの不揮発性メモリなどにより構成され、特性向上インクを付与しない場合のテストチャート画像の色データ（Ｌ＊ａ＊ｂ＊）及び濃度データ（Ｄ）と、特性向上インクを付与した場合のテストチャート画像の色データ（Ｌ＊ａ＊ｂ＊）及び濃度データ（Ｄ´）とを対応付けた対応データを保持している。
【００５１】
更に、対応データ保持手段８は、特性向上インクを付与した場合のテストチャート画像の色データなどの複数の組合せについて（Ｌ＊ａ＊ｂ＊）及び濃度データ（Ｄ´）として、光沢性向上モードや画像保存性向上モードといった特性向上インクの付与モードごとに色データ（Ｌ＊ａ＊ｂ＊）及び濃度データ（Ｄ´）を保持している。
【００５２】
推定手段９は、対応データ保持手段８が保持する対応データに基づき、測定手段７の測定により得られた色データ（Ｌ＊ａ＊ｂ＊）又は濃度データ（Ｄ）から、特性向上インクを付与した場合のテストチャート画像の色又は濃度を推定するようになっている。
【００５３】
また、推定手段９は、光沢性向上モードや画像保存性向上モードといった特性向上インクの付与モードに応じて対応データ保持手段８が保持する色データ（Ｌ＊ａ＊ｂ＊）又は濃度データ（Ｄ´）を選択し、各付与モードにおいて特性向上インクを付与した場合のテストチャート画像の色又は濃度を推定するようになっている。
【００５４】
目標データ保持手段１０は、半導体などの不揮発性メモリなどにより構成され、画像形成手段５が目標とする画像の色データ（Ｌ＊ａ＊ｂ＊）と濃度データ（Ｄ）とのいずれか一方又は双方を保持している。本実施形態では、校正手段１１がＲＧＢデータと目標データを対応させて校正を行うことから、色データ（Ｌ＊ａ＊ｂ＊）はＲＧＢデータの色データ（Ｌ＊ａ＊ｂ＊）として保持されている。
【００５５】
また、校正手段１１が補正係数を使用して校正処理を行う場合などは、目標データ保持手段１０がＣＭＹＫ中間データの色データ（Ｌ＊ａ＊ｂ＊）を保持することにより、ＣＭＹＫ中間データの次元で目標データとの対応により校正を行うことが可能な構成としてもよい。
【００５６】
また、目標データ保持手段１０がＣＭＹＫデータの色データ（Ｌ＊ａ＊ｂ＊）を保持することにより、ＣＭＹＫデータの次元で目標データとの対応により校正を行うことが可能な構成としてもよい。
【００５７】
校正手段１１は、推定手段９により推定された色又は濃度と、目標データ保持手段１０が保持する色データ（Ｌ＊ａ＊ｂ＊）又は濃度データ（Ｄ）とに基づき、目標となる画像が形成されるように変換手段２を校正するようになっている。
【００５８】
すなわち、校正手段１１は、推定手段９により推定された色又は濃度と、目標データ保持手段１０が保持する色データ（Ｌ＊ａ＊ｂ＊）又は濃度データ（Ｄ）とに差がある場合は、両者の値から補正係数を求め、変換手段２の変換テーブルにおけるＲＧＢデータの値を補正係数により校正した値に置き換えるようになっている。これにより、画像形成手段５に目標となる画像を形成させる。
【００５９】
また、変換手段２における変換処理を関数による演算で行う場合は、変換式の補正係数を校正することによって、画像形成手段５に目標となる画像を形成させるようになっている。
【００６０】
なお、校正手段１１による校正結果は、変換手段２の図示しないメモリに記憶され、再び校正処理が行われるモードとなるまでは、その校正結果を利用して変換処理が行われるようになっている。これにより、変換処理が迅速化される。
【００６１】
このように、特性向上インクを付与した場合のテストチャート画像として推定された色又は濃度に基づき、目標とする画像の色又は濃度となるように変換手段２を校正することによって、特性向上インクを付与して画像形成手段５により目標となる画像を形成することが可能となる。
【００６２】
また、光沢性向上モードや画像保存性向上モードといった特性向上インクの付与モードに応じて特性向上インクを付与した場合のテストチャート画像を推定することから、無色インクの付与量を考慮して変換手段２を校正することが可能となる。
【００６３】
次に、画像処理装置１を使用した本発明の画像処理方法について説明する。
【００６４】
図示しない入力手段よりＲＧＢデータが入力されると、変換手段２は色変換テーブルに基づき、ＲＧＢデータをＣＭＹＫ中間データに色変換する。
【００６５】
次に、画像形成手段５は、変換手段２から入力されたＣＭＹＫ中間データに基づき、インクジェット方式により記録用紙にテストチャート画像を形成する。この際、特性向上インク付与手段６は特性向上インクを付与せずに画像形成を行わせる。
【００６６】
次に、測定手段７は、測色計によってカラーのテストチャート画像の色を測定し又は濃度計によってモノクロのテストチャート画像の濃度を測定して、測定結果としての色データ（Ｌ＊ａ＊ｂ＊）又は濃度データ（Ｄ）を推定手段９に出力する。
【００６７】
続いて、推定手段９は、対応データ保持手段８が保持する対応データに基づき、測定手段７の測定により得られた色データ（Ｌ＊ａ＊ｂ＊）又は濃度データ（Ｄ）から、特性向上インクを付与した場合のテストチャート画像の色又は濃度を推定する。
【００６８】
また、推定手段９は、通常の画像形成の際に光沢性向上モード又は画像保存性向上モードによって特性向上インクを付与して画像形成を行う場合は、これらのモードに応じて対応データ保持手段８が保持する対応データを選択し、各付与モードにおいて特性向上インクを付与した場合のテストチャート画像の色又は濃度を推定する。
【００６９】
次に、校正手段１１は、推定手段９により推定された色又は濃度と、目標データ保持手段１０が保持する色データ（Ｌ＊ａ＊ｂ＊）又は濃度データ（Ｄ）とに差がある場合は、両者の値から補正係数を求め、変換手段２の変換テーブルの値を補正係数により校正した値に置き換える。
【００７０】
次に、変換手段２は、校正された変換テーブルに基づき、入力データをＣＭＹＫデータに変換する。
【００７１】
続いて、画像形成手段５は、変換手段２から入力されたＣＭＹＫデータに基づき、通常の画像形成を行う。この際、特性向上インク付与手段６は、ＣＭＹＫデータに応じて、特性向上インクを付与する。例えば、光沢性向上モードのときは、図３に示すように無色インク量が有色インク量に反比例するように付与し、画像保存性向上モードのときは、図４に示すようにインク総量（ｆ）がインク総量所定値（ｇ）に達するまで所定量の無色インク量（ｅ）を付与する。
【００７２】
このように本実施形態の画像処理装置１又は画像処理方法によれば、特性向上インクを付与せずにテストチャート画像を形成し、そのテストチャート画像の色又は濃度から特性向上インクを付与した場合の色又は濃度を推定して変換手段２を校正することから、特性向上インクの付与の有無によるテストチャートの色又は濃度への影響を考慮して変換手段２を校正することが可能となる。
【００７３】
また、特性向上インクを付与せずにテストチャート画像を形成して色又は濃度を測定することから、インクの乾燥時間を短縮して色の安定性を高め、変換手段２の校正を迅速に行うことが可能となる。
【００７４】
また、光沢性を向上させる無色インクを付与して記録媒体上に形成される画像の光沢性を向上させることが可能となる。
【００７５】
また、画像保存性を向上させる無色インクを付与して記録媒体上に形成される画像の画像保存性を向上させることが可能となる。
【００７６】
また、特性向上インクの付与量は色に影響を与えるが、特性向上インクの付与量が代わる光沢性向上モード又は画像保存性向上モードごとにテストチャートの色又は濃度を推定することによって、特性向上インクの付与量の変化によるテストチャートの色又は濃度への影響を考慮して変換手段２を校正することが可能となる。
【００７７】
以上詳細に説明したように、本発明に係る画像処理装置又は画像処理方法によれば、特性向上インクの付与の有無及び付与量に応じて誤差の少ない色変換処理を行うための色校正処理を迅速に行うことが可能となる。
【図面の簡単な説明】
【００７８】
【図１】本発明の実施形態に係る画像処理装置の全体構成を示すブロック図である。
【図２】本発明の実施形態に係る変換手段の構成を示すブロック図である。
【図３】光沢性向上モードでの無色インクの付与の仕方を示すグラフである。
【図４】画像保存性向上モードでの無色インクの付与の仕方を示すグラフである。
【符号の説明】
【００７９】
１  画像処理装置
２  変換手段
５  画像形成手段
６  特性向上インク付与手段
７  測定手段
８  対応データ保持手段
９  推定手段
１０  目標データ保持手段
１１  校正手段
【図１】
0004802755.tif 000002
【図２】
0004802755.tif 000003
【図３】
0004802755.tif 000004
【図４】
0004802755.tif 000005